(57)【特許請求の範囲】
【請求項１】
ユーザ機能を実行する方法であって、
共有デバイスに結合されたカメラにより撮像された画像をユーザ画像としてパーソナルデバイスが受信する段階と、
前記パーソナルデバイスが、前記ユーザ画像と前記パーソナルデバイスのユーザのリファレンス画像とを比較する段階と、
前記ユーザ画像と前記リファレンス画像とが一致する場合、前記パーソナルデバイスが、前記共有デバイスを前記パーソナルデバイスに関連付ける段階と、
前記関連付けが完了している場合、前記パーソナルデバイスおよび前記共有デバイスによって連携して提供されるユーザ機能を実行するリクエストを、前記パーソナルデバイスにより受信する段階と、
前記パーソナルデバイスの前記ユーザに対してパーソナライズされた前記リクエストされたユーザ機能を提供するべく、前記パーソナルデバイスが、前記共有デバイスと連携する段階と
を備える、方法。
【請求項２】
前記共有デバイスに前記パーソナルデバイスを関連付けさせるべく、前記パーソナルデバイスが、前記ユーザ画像と前記リファレンス画像とが一致することを示す情報を前記共有デバイスに送信する段階をさらに備える、請求項１に記載の方法。
【請求項３】
前記受信する段階は、一のユーザのスマートフォンおよびタブレットコンピュータのうちから選択された１つならびに複数のユーザによる使用のために構成された前記共有デバイスにより連携して提供されるユーザ機能を実行する前記一のユーザからのリクエストを、前記スマートフォンおよび前記タブレットコンピュータのうちから選択された前記１つにより、受信する段階を有し、前記連携する段階は、前記スマートフォンおよび前記タブレットコンピュータのうちから選択された前記１つが、前記共有デバイスと連携する段階を有する、または、
前記受信する段階は、一のユーザの前記パーソナルデバイスならびにテレビおよび前記テレビに結合されたセットトップボックスのうちから選択された１つによって連携して提供されるユーザ機能を実行する前記一のユーザからのリクエストを、前記パーソナルデバイスにより、受信する段階を有し、前記連携する段階は、前記パーソナルデバイスが、前記テレビおよび前記テレビに結合された前記セットトップボックスのうちから選択された前記１つと連携する段階を有する、請求項１または２に記載の方法。
【請求項４】
前記受信する段階は、前記共有デバイスにレンダリングされるビデオストリームのビデオセグメントを、前記パーソナルデバイス上でプレイまたは再生するリクエストを、前記パーソナルデバイスにより受信する段階を有し、
前記連携する段階は、
前記パーソナルデバイスにより、前記リクエストを前記共有デバイスへと送信する段階と、
前記パーソナルデバイスにより、前記共有デバイスから、リクエストした前記ビデオセグメントを受信する段階と、
前記パーソナルデバイスにより、前記ビデオセグメントをプレイまたは再生する段階とを有する、請求項１から３の何れか一項に記載の方法。
【請求項５】
前記ビデオストリームは、前記共有デバイスのピクチャインピクチャ内にレンダリングされるビデオストリームを含む、請求項４に記載の方法。
【請求項６】
前記受信する段階は、前記共有デバイスでプレイされるビデオストリームのイメージに対するリクエストを、前記パーソナルデバイスにより受信する段階を有し、
前記連携する段階は、
前記パーソナルデバイスにより、前記リクエストを前記共有デバイスへと送信する段階と、
前記パーソナルデバイスにより、前記共有デバイスから、リクエストした前記イメージを受信する段階と、
前記パーソナルデバイスにより、前記イメージを表示する段階とを有する、請求項１から５の何れか１項に記載の方法。
【請求項７】
前記方法は更に、
前記パーソナルデバイスにより、前記イメージまたは前記イメージ内のオブジェクトを、ソーシャルネットワークまたはクラウドコンピューティングサーバにアップロードする段階、
前記パーソナルデバイスにより、オンライン検索サービスに検索を投稿して、前記イメージまたは前記イメージ内のオブジェクトに少なくとも一部基づく検索を実行する段階、
前記パーソナルデバイスにより、前記イメージまたは前記イメージ内のオブジェクトに少なくとも一部基づく結果生じるｅコマーストランザクションを、オンラインｅコマースサイトで実行する段階、または、
前記パーソナルデバイスにより、前記ユーザの手のジェスチャの認識を使用して、前記ユーザが前記イメージ内のオブジェクトを選択するのを容易にする段階、を備える請求項６に記載の方法。
【請求項８】
請求項１から７のいずれか一項に記載の方法をコンピュータに実行させるためのプログラム。
【請求項９】
ユーザ機能を実行する方法であって、
共有デバイスが、前記共有デバイスに結合されたカメラにより撮像された画像をユーザ画像として取得する段階と、
前記ユーザ画像を前記共有デバイスからパーソナルデバイスに送信する段階と、
前記共有デバイスが、前記ユーザ画像と前記パーソナルデバイスのユーザのリファレンス画像とが一致することを示す情報を前記パーソナルデバイスから受信する段階と、
前記共有デバイスが、前記パーソナルデバイスから受信した前記情報に応じて前記パーソナルデバイスを前記共有デバイスに関連付ける段階と、
前記関連付けが完了している場合、前記パーソナルデバイスおよび前記共有デバイスによって連携して提供されるユーザ機能を実行する前記ユーザからのリクエストを、前記共有デバイスが前記パーソナルデバイスから受信する段階と、
前記パーソナルデバイスの前記ユーザに対してパーソナライズされた前記リクエストされたユーザ機能を提供するべく、前記共有デバイスが、前記パーソナルデバイスと連携する段階と
を備える、方法。
【請求項１０】
前記共有デバイスが外部ソースにコンタクトし、前記ユーザ画像を使用して前記パーソナルデバイスのＩＤ情報を取得する段階と、
前記パーソナルデバイスの前記ＩＤ情報を取得した場合、前記共有デバイスが、前記パーソナルデバイスを前記共有デバイスに関連付ける段階と
をさらに備える、請求項９に記載の方法。
【請求項１１】
前記受信する段階は、
複数のユーザによる使用のために構成されたテレビおよび前記テレビに結合されたセットトップボックスのうちから選択された１つにより、前記共有デバイスおよび一のユーザの前記パーソナルデバイスにより連携して提供されるユーザ機能を実行する前記一のユーザからのリクエストを、前記パーソナルデバイスから受信する段階を有し、前記連携する段階は、前記テレビおよび前記テレビに結合された前記セットトップボックスのうちから選択された前記１つが、前記パーソナルデバイスと連携する段階を有する、または、
複数のユーザによる使用のために構成された前記共有デバイスにより、一のユーザのスマートフォンおよびタブレットコンピュータのうちから選択された１つから、前記共有デバイスおよび前記パーソナルデバイスにより連携して提供されるユーザ機能を実行する前記一のユーザからのリクエストを受信する段階を有し、前記連携する段階は、前記共有デバイスが、前記スマートフォンおよび前記タブレットコンピュータのうちから選択された前記１つと連携する段階を有する、請求項９または１０に記載の方法。
【請求項１２】
前記受信する段階は、前記共有デバイスにレンダリングされるビデオストリームのビデオセグメントを前記パーソナルデバイス上でプレイまたは再生するリクエストを、前記共有デバイスにより受信する段階を有し、
前記連携する段階は、
前記共有デバイスにより、前記パーソナルデバイスから前記リクエストを受信する段階と、
前記共有デバイスにより、リクエストされた前記ビデオセグメントを前記パーソナルデバイスへと送信する段階と、を有する請求項９から１１の何れか１項に記載の方法。
【請求項１３】
前記ビデオストリームは、前記共有デバイスのピクチャインピクチャ内にレンダリングされるビデオストリームを含む、請求項１２に記載の方法。
【請求項１４】
前記受信する段階は、前記共有デバイスにプレイされるビデオストリームのイメージに対するリクエストを、前記共有デバイスにより前記パーソナルデバイスから受信する段階を有し、
前記連携する段階は、
前記共有デバイスにより、前記リクエストを前記パーソナルデバイスから受信する段階と、
前記共有デバイスにより、リクエストされた前記イメージを、前記パーソナルデバイスへと送信する段階と、を有する請求項９から１３の何れか１項に記載の方法。
【請求項１５】
前記送信する段階は、
前記パーソナルデバイスが、前記イメージまたは前記イメージ内のオブジェクトを、ソーシャルネットワークまたはクラウドコンピューティングサーバにアップロードするべく使用するために、リクエストされた前記イメージを、前記共有デバイスにより、前記パーソナルデバイスへと送信する段階、
前記パーソナルデバイスが、前記イメージまたは前記イメージ内のオブジェクトに少なくとも基づいて検索を実行するべく、オンライン検索サービスに検索を投稿するのに使用するために、リクエストされた前記イメージを、前記共有デバイスにより、前記パーソナルデバイスへと送信する段階、または、
前記パーソナルデバイスが、前記イメージまたは前記イメージ内の前記オブジェクトに少なくとも一部基づく結果生じるｅコマーストランザクションを、オンラインｅコマースサイトで実行するのに使用するために、リクエストされた前記イメージを、前記共有デバイスにより、前記パーソナルデバイスへと送信する段階、を含む請求項１４に記載の方法。
【請求項１６】
請求項９から１５のいずれか一項に記載の方法をコンピュータに実行させるためのプログラム。
【請求項１７】
ユーザ機能を実行するためのパーソナルデバイスであって、
共有デバイスに結合されたカメラにより撮像された画像をユーザ画像として受信する手段と、
前記ユーザ画像と前記パーソナルデバイスのユーザのリファレンス画像とを比較する手段と、
前記ユーザ画像と前記リファレンス画像とが一致する場合、前記共有デバイスを前記パーソナルデバイスに関連付ける手段と、
前記関連付けが完了している場合、前記パーソナルデバイスおよび前記共有デバイスによって連携して提供されるユーザ機能を実行するリクエストを受信する手段と、
前記パーソナルデバイスの前記ユーザに対してパーソナライズされた前記リクエストされたユーザ機能を提供するべく、前記共有デバイスと連携する手段と
を備える、パーソナルデバイス。
【請求項１８】
ユーザ機能を実行するための共有デバイスであって、
前記共有デバイスに結合されたカメラにより撮像された画像をユーザ画像として取得する手段と、
前記ユーザ画像をパーソナルデバイスに送信する手段と、
前記ユーザ画像と前記パーソナルデバイスのユーザのリファレンス画像とが一致することを示す情報を前記パーソナルデバイスから受信する手段と、
前記パーソナルデバイスから受信した前記情報に応じて前記パーソナルデバイスを前記共有デバイスに関連付ける手段と、
前記関連付けが完了している場合、前記パーソナルデバイスおよび前記共有デバイスによって連携して提供されるユーザ機能を実行する前記ユーザからのリクエストを、前記パーソナルデバイスから受信する手段と、
前記パーソナルデバイスの前記ユーザに対してパーソナライズされた前記リクエストされたユーザ機能を提供するべく、前記パーソナルデバイスと連携する手段と
を備える、共有デバイス。
【請求項１９】
請求項１７に記載のパーソナルデバイスと、
請求項１８に記載の共有デバイスと
を備え、
前記パーソナルデバイスと前記共有デバイスとを連携させて、前記パーソナルデバイスのユーザに対してパーソナライズされたユーザ機能を提供する、システム。
【発明の詳細な説明】
【技術分野】
【０００１】
本願は、データ処理の技術分野に関し、より詳細には、共有デバイスおよびパーソナルデバイスを使用したパーソナライズされたユーザ機能の連携提供に関する方法および装置に関する。
【０００２】
［関連出願］
本願は、（１）"Personalized Video Content Consumption Using Shared Video Device and Personal Device（共有ビデオデバイスおよびパーソナルデバイスを使用したパーソナライズされたビデオコンテンツ消費）"、代理人整理番号110466-182902（顧客整理番号P39285PCT）および（２）Annotation and/or Recommendation of Video Content Method and Apparatus（ビデオコンテンツのアノテーションおよび／または推奨の方法および装置）、代理人整理番号116536-182903（顧客整理番号P38948PCT）に関連し、これら文献は、本願と同時期に出願された。
【背景技術】
【０００３】
本開示の背景を、一般的に示すことを目的として、背景技術を説明する。そうでないと示されていない限り、本章に記載される内容は、本願の特許請求の範囲に対して従来技術ではなく、また、本章に含めることによって、その内容が従来技術であると認めたわけではない。
【０００４】
集積回路、コンピュータ、ネットワークおよびその他の技術の進歩に伴い、一のユーザによる使用のために構成されたパーソナルデバイス、例えば、スマートフォン、タブレットコンピュータ等が、普及してきた。それと同時に、複数のユーザが使用するように構成された共有デバイス、例えば、テレビまたはテレビに結合されたセットトップボックスも依然として一般的であり、その理由の１つとして、高解像度ビデオ、サラウンド音響等、機能の拡張がなされていることが挙げられる。現在、パーソナルデバイスを、共有デバイスに対する従来のリモート制御として使用することを除いて、パーソナルデバイスと共有デバイスとの間の統合または連携がほとんど行われていない。
【０００５】
本発明の実施形態を、限定ではなく、実施形態の例として、添付の図面を参照して記載する。同様な要素には、同様な参照番号が付与されている。
【図面の簡単な説明】
【０００６】
【図１】共有デバイスおよびパーソナルデバイスの使用構成の一例を示したブロック図である。
【図２】共有デバイスおよびパーソナルデバイスの一例をより詳細に示した図である。
【図３】共有デバイスおよびパーソナルデバイスを使用したパーソナライズされたユーザ機能の連携提供の方法の一例を示した図である。
【図４】共有デバイスおよびパーソナルデバイスの間の顔認識に基づく登録および／または関連付けの方法の様々な例を示した図である。
【図５】共有デバイスおよびパーソナルデバイスを使用したパーソナライズされたユーザ機能の連携提供のユーザビューを示した図である。
【図６】図３および図４の方法の全てまたは選択された側面を実施するように構成された命令を有する非一時的コンピュータ可読記憶媒体を示した図である。
【図７】本開示の実施形態に従って配置された、共有デバイスまたはパーソナルデバイスとして使用するのに適したコンピュータ環境の例を示した図である。
【発明を実施するための形態】
【０００７】
共有デバイスおよびパーソナルデバイスを使用したパーソナライズされたユーザ機能の連携提供に関する方法、装置および記憶媒体について開示される。様々な実施形態において、パーソナルデバイス（ＰＤ）の方法は、パーソナルデバイスおよび複数のユーザによる使用のために構成された共有デバイスにより連携して提供されるべきユーザ機能を実行するリクエストを、一のユーザのパーソナルデバイスが受信する段階と、パーソナルデバイスの一のユーザに対してパーソナライズされたリクエストされたユーザ機能を提供するべく、パーソナルデバイスにより、共有デバイスと連携する段階とを備えてもよい。
【０００８】
例示される実施形態の様々な側面が、同技術分野における他の当業者に発明の実質的な内容を伝達するべく、当業者間で共通に使用される用語を用いて説明される。しかしながら、当業者であれば、記載される側面の一部のみを使用して、別の実施形態を実施可能であることは明らかである。説明を目的として、例示した実施形態の完全な理解を提供するべく、具体的な数字、材料および構成が記載される。しかしながら、当業者であれば、詳細事項がなくとも、別の実施形態を実施可能であることは明らかである。また、例示の実施形態を曖昧にしないために、周知の特徴は、省略されているまたは簡略化されている。
【０００９】
更に、様々なオペレーションが、別個の複数のオペレーションとして記載される、つまり、例示する実施形態の理解を最も助けるような態様で記載されるが、記載される順番により、これらオペレーションが必ずしも順番に依存することを示唆すると解釈されるべきではない。より詳細には、これらオペレーションは、提示された順番で実行される必要はない。
【００１０】
特許請求の範囲を含む本明細書で使用される"スマートフォン"という言葉は、単なる携帯電話による通信を超えた、例えば、パーソナルデジタルアシスタント（ＰＤＡ）、メディアプレーヤ、カメラ、タッチスクリーン、ウェブブラウザ、グローバル・ポジショニング・システム（ＧＰＳ）ナビゲーション、ＷｉＦｉ、携帯ブロードバンド等を備えた多機能な携帯電話を意味する。"携帯電話"という言葉またはこれらの派生語は、特許請求の範囲を含む本明細書において、多くの公共セルによって適用される広い地理的エリアにわたって携帯電話による通話を行うのに使用される携帯電子機器を意味する。
【００１１】
"一実施形態において"または"ある実施形態において"というフレーズが繰り返し使用される。このフレーズは、通常、同じ実施形態を意味するとして使用されていないが、場合によっては、そのように使用している。"備える（comprising）"、"有する（having）"、および、"含む（including）"という言葉は、コンテキストにおいて、そうでないと明記されない限り、同義語として使用される。"Ａ／Ｂ"というフレーズは、"ＡまたはＢ"を意味する。"Ａおよび／またはＢ"というフレーズは、"（Ａ）、（Ｂ）または（ＡおよびＢ）"を意味する。"Ａ、ＢおよびＣの少なくとも１つ"というフレーズは、"（Ａ）、（Ｂ）、（Ｃ）、（ＡおよびＢ）、（ＡおよびＣ）、（ＢおよびＣ）または（Ａ、ＢおよびＣ）を意味する。本明細書で使用されている"ＡまたはＢのうちの選択された１つ"というフレーズは、"Ａ"または"Ｂ"を指し、"選択"オペレーションを実行する必要があるまたは実行を示唆するものではない。
【００１２】
図１は、様々な実施形態に係る共有デバイスおよびパーソナルデバイスの使用配置の一例を示したブロック図である。図に示すように、配置１００は、例えば、オーディオ／ビジュアル（Ａ／Ｖ）コンテンツ１３４を受信およびレンダリングするといった、複数のユーザによる使用のためのユーザ機能を提供するように構成された共有デバイス（ＳＤ）１０２と、一人のユーザによる使用のために、携帯電話による通信などの様々なパーソナル機能を提供するパーソナルデバイス（ＰＤ）１１２とを含んでもよい。更に、ＳＤ１０２およびＰＤ１１２は、互いに連携して、以下に詳細に記載するようなパーソナライズされたユーザ機能を提供するべく、ＰＤ連携機能１５２およびＳＤ連携機能１６２をそれぞれ有するように構成されてもよい。本開示の実施形態に係るＰＤ連携機能１５２およびＳＤ連携機能１６２を除いて、ＳＤ１０２の例は、テレビ１０６およびセットトップボックス１０４の複数のデバイス結合の組み合わせ、または、テレビ１０６およびセットトップボックス１０４が統合された組み合わせによる１つのデバイスを含んでもよく、ＰＤ１１２の例として、スマートフォンまたはタブレットコンピュータが含まれてもよい。様々な実施形態において、テレビ１０６は、１以上のピクチャインピクチャ（ＰＩＰ）１０８を有するＰＩＰ機能を含んでもよく、セットトップボックス１０４は、カメラのようなデジタル撮像デバイス１５４を含んでもよい。同様に、ＰＤ１１２も、カメラのようなデジタル撮像デバイス１６４を含んでもよい。
【００１３】
図に示すように、ＳＤ１０２は、１以上のＡ／Ｖコンテンツソース（図示せず）に結合されて、選択的にＡ／Ｖコンテンツ１３４を受信するように構成されてもよく、ＰＤ１１２は、無線広域ネットワーク（ＷＷＡＮ）１２０を介して、無線１４８で、移動体通信サービス１３６に結合するよう構成されてもよい。Ａ／Ｖコンテンツソースの例としては、これに限定されないが、テレビ番組放送局、ケーブル運営局、衛星テレビ番組配信元、デジタルビデオレコーダ（ＤＶＲ）、コンパクトディスク（ＣＤ）もしくはデジタルビデオディスク（ＤＶＤ）プレーヤ、または、ビデオカセットレコーダ（ＶＣＲ）が挙げられる。移動体通信サービス１３６としては、符号分割多元接続（ＣＤＭＡ）サービス、拡張ＧＰＲＳ（ＥＤＧＥ）サービス、３Ｇまたは４Ｇサービス（汎用パケット無線サービス：ＧＰＲＳ）が含まれ得る。
【００１４】
再び図１を参照して、様々な実施形態において、ＳＤ１０２およびＰＤ１１２は、アクセスポイント１１０介して、互いに無線１４２および１４４で、結合されてもよい。アクセスポイント１１０は更に、ＳＤ１０２およびＰＤ１１２を、例えば、インターネット１２２を含む１以上のプライベートネットワークまたは公共ネットワークを介して、リモートクラウドコンピュータ／ウェブサービス１３２に結合してもよい。すなわち、ＳＤ１０２、ＰＤ１１２およびアクセスポイント１１０は、ホームネットワークのようなローカルエリアネットワークを形成してもよい。リモートクラウドコンピュータ／ウェブサービス１３２は、Ｇｏｏｇｌｅ（登録商標）もしくはＢｉｎｇ（登録商標）のような検索サービス、または、Ａｍａｚｏｎ（登録商標）のようなｅコマースサイト、または、Ｆａｃｅｂｏｏｋ（登録商標）もしくはＭｙＳｐａｃｅ（登録商標）のようなソーシャルネットワークサイトを含んでもよい。更に、様々な実施形態において、ＳＤ１０２およびＰＤ１１２はそれぞれ、パーソナル通信および／または近距離無線通信プロトコルを使用して、デバイスを無線１４６で結合可能なように構成されてもよい。様々な実施形態において、無線結合１４２および１４４は、ＷｉＦｉ（登録商標）接続を含んでもよく、無線結合１４６は、Ｂｌｕｅｔｏｏｔｈ（登録商標）接続を含んでもよい。様々な実施形態において、ＰＤ連携機能１５２およびＳＤ連携機能１６２は、トランスミッションコントロールプロトコル（ＴＣＰ）、ユーザダイアグラムプロトコル、または、その他のメッセージプロトコルに従って通信を行ってもよい。
【００１５】
様々な実施形態において、ＳＤ１０２およびＰＤ１１２はそれぞれ、関連付けされたＩＤを有してもよい。ＳＤ１０２が、ＰＩＰ１０８を伴うテレビ１０６を含む実施形態の場合、ＳＤ１０２は更に、メインピクチャおよびＰＩＰ１０８をそれぞれ特定する論理ＩＤを含んでもよい。加えて、 様々な実施形態において、ＩＤは少なくとも、ＳＤ１０２およびＰＤ１１２によって送信される発見通信に含まれてもよく、例えば、ＰＤ１１２およびＳＤ１０２である通信の受信機が、通信の送信元を区別できるようにする。
【００１６】
図２には、様々な実施形態に係る、ＳＤ１０２およびＰＤ１１２の一例について、更に詳細に示した図である。先に説明したように、ＳＤ１０２は、ＳＤ機能１５１およびＰＤ連携機能１５２を有してもよく、ＰＤ１１２は、ＰＤ機能１６１およびＳＤ連携機能１６２を有してもよい。
【００１７】
様々な実施形態において、ＳＤ機能１５１は、それぞれが送受信機を含む１以上の通信インターフェース２０２、および、１以上のＡ／Ｖデコーダを有するメディアプレーヤ２０４を含んでもよい。それぞれが送受信機を備える通信インターフェース２０２は、これに限定されないが、テレビ番組放送局、ケーブル運営局または衛星番組配給局からのＡ／Ｖコンテンツを受信する通信インターフェース、ＤＶＲ、ＣＤ／ＤＶＤ／ブルーレイプレーヤまたはＶＣＲからのＡ／Ｖコンテンツを受信する通信インターフェース、アクセスポイント１１０と通信を行う通信インターフェース、および／または、ＰＤ１１２と直接通信を行う通信インターフェースを含み得る。１以上のＡ／Ｖデコーダを備えるメディアプレーヤ２０４は、様々なＡ／Ｖコンテンツストリームをデコードおよびレンダリングするように構成されてもよい。様々なＡ／Ｖデコーダは、様々な形式および／またはエンコード方式のＡ／Ｖコンテンツストリームをデコードするように構成されてもよい。
【００１８】
様々な実施形態において、ＰＤ連携機能１５２は、ＰＤ登録／関連付け機能２１２、ＰＤビデオ／イメージ／データサービス２１４、および、ＰＤ機能２１６による制御を含んでもよい。更に、ＰＤ連携機能は１５２、顔／ジェスチャ認識機能２１８を含んでもよい。
【００１９】
ＰＤ登録／関連付け機能２１２は、ＳＤ１０２をＰＤ１１２に登録する、または、ＰＤ１１２をＳＤ１０２に関連付けるように構成されてもよい。様々な実施形態において、登録／関連付け機能２１２は、ＩＤおよび／または設定を有するメッセージを交換することにより、ＳＤ１０２を、ＰＤ１１２に登録／関連付けするように構成されてもよい。別の実施形態では、登録／関連付け機能２１２は、顔認識サービスを使用して、顔／ジェスチャ認識サービス２１８と連携して、ＳＤ１０２をＰＤ１１２と登録／関連付けするように構成されてもよい。様々な実施形態において、登録／関連付け機能２１２は、ＳＤ１０２が登録されるおよび／または関連付けられるＰＤ１１２のマップを保持するように構成されてもよい。テレビ１０６が、１以上のＰＩＰ１０８を有するＰＩＰ機能を備える、テレビ１０６およびセットトップボックス１０４の様々な実施形態について、ＰＤ登録／関連付け機能２１２は、ＰＩＰ粒度レベルで、ＳＤ１０２をＰＤ１１２に登録する、または、ＳＤ１０２をＰＤ１１２と関連付けして、メインピクチャにレンダリングされたビデオストリームおよびＰＩＰ１０８を、論理的に異なるＰＤ１１２と関連付けることを可能としてもよい。更に、 ＰＤ登録／関連付け機能２１２は、ＰＩＰ粒度レベルで、上記で説明したＳＤ１０２のＰＤ１１２に対するマップを保持するように構成されてもよい。様々な実施形態において、ＰＤ登録／関連付け機能２１２は更に、例えば、ユーザがＳＤ１０２の複数の現在のユーザのうちの１人であるか等の、ＰＤ１１２のユーザの現在のステータスを含めるべく、マップを保持するように構成されていてもよい。ＰＤ登録／関連付け機能２１２は、ユーザが、ＳＤ１０２の現在のユーザ（または、ＳＤ１０２の複数の現在のユーザのうちの１人）になった場合、または、ＳＤ１０２の現在のユーザを辞めた場合に、ステータスを更新するように構成されてもよい。
【００２０】
ＰＤビデオ／イメージ／データサービス２１４は、ＳＤ１０２がＰＤ１１２と、ＳＤ１０２にレンダリングされるビデオストリームと関連する、ビデオ、イメージおよび／またはデータを交換可能なように構成されてもよい。ＳＤ１０２によってＰＤ１１２に供給されるビデオストリームに関連付けられたビデオ、イメージおよび／またはデータは、ＳＤ１０２によって撮像されてもよいし、別の第３者から取得してもよい。より詳細には、ＰＤビデオ／イメージ／データサービス２１４は、ＳＤ１０２にレンダリングされるビデオストリームからイメージまたはビデオクリップを取得してもよい、または、ＳＤ１０２のカメラからイメージを撮像してもよい。ＰＤ１１２に供給するのに加えて、取得されたイメージまたはビデオクリップを、ＰＤ１１２に格納および／または供給してもよい。
【００２１】
更に、ＰＤビデオ／イメージ／データサービス２１４は、ビデオストリームから取得されたイメージまたはビデオクリップを、クラウドコンピューティングサーバに供給して、ビデオストリーム特定する、および／または、ビデオストリームと関連付けられたメタデータを取得してもよい。メタデータは、ビデオストリーム作成者／所有者、配信者または関連する広告者によって提供されてもよい。ビデオストリームに関連付けられたメタデータはまた、ＰＤ１１２に格納または供給されてもよい。更に、閲覧の履歴が、ＳＤ１０２に格納されてもよい。
【００２２】
ＰＤ機能２１６による制御は、ＰＤ１１２から制御を受け付け、それに応答して、ＳＤ１０２を制御することにより、これに限定されないが、ＳＤ１０２にレンダリングされるビデオストリームからのイメージの取得を制御すること、または、ビデオストリームの停止、一時停止、早送りまたは巻き戻しのように、ＳＤ１０２上でのビデオストリームのレンダリングを制御することを含んでもよい。ＰＤ機能２１６による制御はまた、ＰＤ１１２から制御を受け付けて、ＳＤ１０２上での３ＤＴＶビデオストリームのレンダリングを調整して、レンダリングされる３ＤＴＶイメージの品質を制御してもよい。制御は、構成要素イメージ間の相対的な奥行きの制御、縁部の色および／または鮮明さの歪みを低減する制御を含んでもよい。
【００２３】
顔／ジェスチャ認識サービス２１８は、複数の顔認識および／またはジェスチャ認識サービスを提供するように構成されてもよい。顔認識サービスは、年齢、性別、民族を含む、画像における顔の認識を含んでもよい。顔認識サービスは更に、例えば、賛成している、反対している、興味を持っている、興味を持っていない、満足している、悲しい、怒っているまたは心穏やかである等の表情の認識を含んでもよい。顔認識は、１以上の顔特徴またはバイオメトリック特徴に基づいてもよい。ジェスチャ認識サービスは、複数の手のジェスチャを認識することを含んでもよく、これに限定されないが、"好む"ことを意味する親指を立てた手のジェスチャ、"好まない"ことを意味する親指を下げた手のジェスチャ、"拡大する"ことを意味する２本の指を互いに離す手のジェスチャ、"縮小する"ことを意味する２本の指を互いに近づける手のジェスチャ、または、"交換する"ことを意味する２つの手または２つの指を互いに交差させるジェスチャを含んでもよい。
【００２４】
様々な実施形態において、ＰＤ登録／関連付け機能２１２は、顔／ジェスチャ認識機能２１８と連携して、ＳＤ１０２またはＳＤ１０２の論理ユニット（例えば、ＳＤ１０２がＰＩＰ１０８を伴うテレビ１０６を含む場合には、ＰＩＰ１０８）を、様々なＰＤ１１２に登録する、または、様々なＰＤ１１２と関連付けることを達成してもよい。
【００２５】
本明細書で使用される"関連付け（association)"という言葉は、２つのエンティティ、例えば、ＳＤ１０２およびＰＤ１１２の間の関係を指す。本明細書で使用される"登録（registration）"という言葉は、一のエンティティの別のエンティティに対するアクションを指し、例えば、エンティティ間の"関連付け"を形成する目的の"アクション"を指す。言い換えると、本開示は、ＳＤ１０２とＰＤ１１２の間の"関連付け"が、一方的にまたは双方向に形成されることを見込んでいる。例えば、ＩＤのような、特定のＰＤ１１２の知識により、ＳＤ１０２は、自身を特定のＰＤ１１２に登録することなく、または、特定のＰＤ１１２を自身に登録することを要求することなく、特定のＰＤ１１２を一方的にＳＤ１０２に関連付けられていると見なしてもよい。他方では、ＳＤ１０２および／またはＰＤ１１２は、関連付けを形成するべく、互いに自身を明示的に特定（"登録"）してもよい。
【００２６】
続けて図２を参照し、様々な実施形態において、ＰＤ機能１６１は、それぞれ送受信機を有する１以上の通信インターフェース２２２、１以上のＡ／Ｖデコーダを有するメディアプレーヤ２２４、入力デバイス２２６、および、ブラウザ２２８を含んでもよい。通信インターフェース２２２は、移動体通信サービスと通信を行う通信インターフェース、アクセスポイント１１０と通信を行う通信インターフェース、および／または、ＳＤ１０２と直接通信を行う通信インターフェースを含んでもよい。１以上のＡ／Ｖデコーダを有するメディアプレーヤ２２４は、様々なＡ／Ｖコンテンツストリームをデコードおよびレンダリングするように構成されてもよい。様々なＡ／Ｖデコーダは、様々な形式および／または様々なエンコード方式のＡ／Ｖコンテンツストリームをデコードするように構成されてもよい。
【００２７】
入力デバイス２２６は、ＰＤ１１２のユーザが、様々なユーザ入力を提供可能とするように構成されていてもよい。入力デバイス２２６は、ユーザに、テキスト入力を提供することを可能にする（リアルまたはバーチャル）キーボード、および／または、タッチパッド、トラックボール等のカーソル制御デバイスを含んでもよい。様々な実施形態において、入力デバイス２２６は、ビデオ画面および／またはタッチセンサー式の画面を有して、ユーザが、ジェスチャ入力するのを可能としてもよいジェスチャ入力は、顔／ジェスチャ認識サービス２１８に関して上記で説明したのと同じまたは異なる手のジェスチャを含んでもよい。
【００２８】
ブラウザ２２８は、ＰＤ１１２のユーザが、インターネット上のリモート検索サービス、ｅコマースサイトまたはソーシャルネットワークにアクセス可能とするように構成されていてもよい。検索サービスの例としては、Ｇｏｏｇｌｅ（登録商標）、Ｂｉｎｇ（登録商標）等が挙げられる。ｅコマースサイトには、Ａｍａｚｏｎ、Ｂｅｓｔ Ｂｕｙ等が含まれてもよい。ソーシャルネットワークには、Ｆａｃｅｂｏｏｋ（登録商標）、ＭｙＳｐａｃｅ（登録商標）等が含まれてもよい。ブラウザ２２８はまた、ＰＤ１１２のユーザが、ＳＤ１０２上にレンダリングされるビデオストリームのプログラムに関連付けられたスペシャルインタレストグループ（ＳＩＧ）に参加することを可能としてもよい。このようなＳＩＧは、予め形成されてもよいし、コンテンツプロバイダによって配信される現在のコンテンツに基づいて、動的に形成されてもよい。このようなＳＩＧは、地理的にまたはＰＤデバイスの種類によって、分類されてもよい。
【００２９】
様々な実施形態において、ＳＤ連携機能１６２は、ＳＤ登録機能２３２、ＳＤビデオ／データサービス２３４、および、ＳＤ制御機能２３６を含んでもよい。ＳＤ連携機能１６２は更に、顔／ジェスチャ認識サービス２４４を含んでもよい。
【００３０】
ＳＤ１０２のＰＤ登録／関連付け機能２１２と同様に、ＳＤ登録／関連付け機能２３２は、ＰＤ１１２を、ＳＤ１０２に登録する、または、ＳＤ１０２をＰＤ１１２に関連付けるように構成されてもよい。テレビ１０６がＰＩＰ機能を含む様々なセットトップボックス１０４およびテレビ１０６の実施形態の場合、ＳＤ登録機能２３２は、ＰＩＰ粒度レベルで、ＰＤ１１２をＳＤ１０２に登録する、または、ＳＤ１０２をＰＤ１１２と関連付けることにより、メインピクチャおよびＰＩＰ１０８にレンダリングされるビデオストリームが、独立して、同じまたは異なるＰＤ１１２に関連付けられることを可能にしてもよい。
【００３１】
ＳＤ１０２のＰＤビデオ／イメージ／データサービス２１４と同様に、ＳＤビデオ／イメージ／データサービス２３４は、ＳＤ１０２にレンダリングされるビデオストリームと関連付けられた、ビデオ、イメージおよび／またはデータを、ＳＤ１０２と交換するように構成されてもよい。同様に、ＳＤビデオ／イメージ／データサービス２３４は、ビデオ、イメージおよび／またはデータを、クラウドコンピューティングサーバから受け付けてもよいまたは当該サーバに送信してもよい。ＳＤビデオ／イメージ／データサービス２３４は、ブラウザ２２８と連携して、ビデオ、イメージおよび／またはデータを、クラウドコンピューティングサーバから／への送受信を達成してもよい。
【００３２】
ＳＤ制御２３６は、ＳＤ１０２に制御を提供して、ＳＤ１０２を制御してもよい。ＰＤ２１６によるＳＤ１０２の制御に関して先に説明したように、制御としては、これに限定されないが、ＰＩＰ１０８の拡大または縮小、メインピクチャとＰＩＰ１０８との間でのビデオストリームの交換、ビデオストリームの停止、一時停止、早送りまたは巻き戻しを含んでもよい。ＳＤ制御２３６はまた、ビデオストリームの品質を制御するために、ＳＤ１０２を制御して３ＤＴＶビデオストリームのレンダリングを調整する制御をＳＤ１０２に提供してもよい。更に、ＳＤ制御２３６は、コマーシャルの間の自動ビデオストリーム切り替え、および、コマーシャルが終了した時の自動切り替え復帰を提供するように構成されてもよい。ＳＤ制御２３６はまた、ＳＤ１０２上への３ＤＴＶビデオストリームのレンダリングを調整する制御をＳＤ１０２に提供して、レンダリングされる３ＤＴＶイメージの品質を制御してもよい。制御としては、構成要素イメージ間での相対的な奥行きの制御、縁部の色および／または鮮明さの歪みを低減する制御を含んでもよい。
【００３３】
更に説明する前に、ＳＤ１０２およびＰＤ１１２の実施形態が図２を参照して、両デバイスがそれぞれ、顔／ジェスチャ認識サービス２１８および２４４を有するとして説明されたが、別の実施形態では、ＳＤ１０２およびＰＤ１１２の一方のみが顔／ジェスチャ認識サービスを有してもよいし、全く有さなくてもよい。同様に、理解を容易にするために、ビデオ／イメージ／データサービス２１４および２３４、ならびに、顔／ジェスチャ認識サービス２１８および２４４が、組み合わせられたサービスとして説明されたが、別の実施形態では、これらサービスのうちの一方または両方が、別個の複数のサービスに分割されてもよく、例えば、ビデオ／イメージ／データサービスは、個別のビデオサービス、イメージサービスおよびデータサービスへと、顔／ジェスチャ認識サービスは、個別の顔認識サービスおよびジェスチャ認識サービスへと分割されることで、本開示が実施されてもよい。
【００３４】
上記したように、登録または関連付けでは、ＰＤ連携機能１５２およびＳＤ連携機能１６２は、連携して、ＰＤ１１２のユーザによるパーソナライズされたユーザ機能を提供する。例えば、ビデオ／イメージ／データサービス２１４および２３４は、連携して、ＳＤ１０２にレンダリングされるビデオストリームからのイメージフレーム（例えば、テレビのメインピクチャまたはＰＩＰ１０８）を、ＳＤ１０２からＰＤ１１２へと供給することを可能としてもよい。イメージフレームは、ＰＤ１１２のユーザによる連携ユーザ機能に対するリクエストに応答して、供給されてもよい。イメージフレームは、ＰＤ１１２においてリクエストが実質的になされた時に、ＳＤ１０２にレンダリングされていたイメージフレームであってもよい。リクエストの時点は、サービス２３４によってサービス２１４へと伝達される。
【００３５】
別の例として、ビデオ／イメージ／データサービス２３４は、ブラウザ２２８と連携して、受信したイメージフレームに少なくとも一部基づいて検索を実行するべく、受信したイメージフレームを検索サービスに供給することを可能としてもよい。  同様に、ビデオ／イメージ／データサービス２３４は、ブラウザ２２８と連携して、ＰＤ１１２のユーザが、ｅコマースサイトでｅコマーストランザクションを実行可能としてもよく、このｅコマーストランザクションは、受信したイメージフレームの結果に少なくとも一部基づく。より詳細には、ユーザが、ＳＤ１０２にレンダリングされたビデオストリームに、興味のあるアイテムを発見した場合には、ＰＤ１１２のユーザは、イメージフレームをリクエストして、先に説明したように、サービス２１４および２３４を使用して、当該アイテムを有するイメージフレームをＰＤ１１２に供給するようにしてもよい。そしてイメージフレームが受信され、興味のあるアイテムがハイライトされた後に、ユーザは更に、ブラウザ２２８を使用して、アイテムの検索を実行してもよい。ｅコマースサイトにおいて売り出しになっているアイテムを特定した場合には、ユーザは、そのｅコマースサイトでｅコマーストランザクションを実行して、当該アイテムを購入してもよい。
【００３６】
図３には、様々な実施形態に係る共有デバイスおよびパーソナルデバイスを使用したパーソナライズされたユーザ機能の連携提供の方法の一例が示されている。図に示すように、方法３００は、以下に、図４を参照してより詳細に説明する、ＳＤ１０２および／またはＰＤ１１２が互いに登録または関連付けされるブロック３０２および／または３０４で開始してもよい。様々な実施形態において、方法３００は、ＰＤ１１２が、自身をＳＤ１０２に登録すること、または、自身をＳＤ１０２に関連付けすることによって、実施されてもよい。別の実施形態では、方法３００は、ＳＤ１０２が自身をＰＤ１１２に登録すること、または、自身をＰＤ１１２に関連付けすることによって、実施されてもよい。更なる別の実施形態では、方法３００は、ＳＤ１０２およびＰＤ１１２が、互いに自身を登録または関連付けすることにより、実施されてもよい。
【００３７】
様々な実施形態において、ＳＤ１０２およびＰＤ１１２は、次に行う通信を容易にするために、登録プロセスの一部として、設定情報を交換してもよい。例えば、ＳＤ１０２およびＰＤ１１２は、それぞれの機能の情報、例えば、処理能力、サポートしているエンコード／デコード方式、サポートしているメッセージングプロトコル等を交換してもよい。様々な実施形態において、ＳＤ１０２および／またはＰＤ１１２はまた、登録プロセスの一部として、それぞれのデバイスに、必要なソフトウェアおよび／更新を、取り込むおよび／またはインストールするように構成されてもよい。
【００３８】
登録または関連付けが終わると、方法３００は、ブロック３０６に進み、ＰＤ１１２は、ＰＤ１１２のユーザから、ＳＤ１０２およびＰＤ１１２を連携させて、パーソナライズされたユーザ機能を提供するという指示または選択を受信してもよい。方法３００は、ブロック３０６からブロック３０８へと進み、ＰＤ１１２は、ＳＤ１０２と連携して、パーソナライズされたユーザ機能のユーザへの連携提供を容易にしてもよい。
【００３９】
方法３００は、ブロック３０８からブロック３１０へと進み、次いでブロック３１２へと進んで、再びブロック３１０に戻り、ＳＤ１０２にレンダリングされるビデオストリームのイメージフレームが、リクエストされ、ＰＤ１１２に供給およびレンダリングされてもよい。先に説明したように、様々な実施形態において、イメージフレームは、ＰＤ１１２においてリクエストが実質的に生成された時点に、ＳＤ１０２にレンダリングされていたイメージフレームであってもよい。方法３００は、ブロック３１０からブロック３０８へと戻り、ユーザは、イメージフレームを使用して様々な機能を実行してもよく、例えば、ソーシャルネットワークまたはクラウドコンピューティングサーバからイメージフレームをアップロードして、イメージフレームまたはイメージフレーム内のオブジェクトに基づいて、検索を実行してもよい、または、イメージフレームまたはイメージフレーム内のオブジェクトの結果に少なくとも一部基づいて、ｅコマースサイトでｅコマーストランザクションを実行してもよい。
【００４０】
その後で、様々なユーザ入力に応答して、上記のオペレーションを繰り返してもよい。最終的には、方法３００は、ブロック３０８からブロック３２４へと進み、ユーザ機能の連携提供を終了するユーザ入力が受信されてもよい。このような入力が受信されると、方法３００が終了する。
【００４１】
様々な実施形態において、パーソナライズされたユーザ機能の提供のための連携に加えて、方法３００は、ＰＤ１１２のユーザによるパーソナライズされたビデオコンテンツ消費を容易にするべく、ＳＤ１０２およびＰＤ１１２が連携することを含んでもよい。このようなパーソナライズされたビデオコンテンツ消費の例には、ブロック３１８および３２０を経由した、ＰＤ１１２からＳＤ１０２の制御を含んでもよい。更に、ＳＤ１０２およびＰＤ１１２は、ブロック３１４および３１６を経由した、ＰＤ１１２を使用して消費されるビデオコンテンツと関連付けられたイメージおよび／またはイメージ内のオブジェクトのアノテーション、ＳＤ１０２へアノテーションを戻し格納すること、および、格納されたアノテーションを読み出すことをサポートするべく、連携してもよい。更に、ブロック３２２を経由して、取得されたイメージフレームおよび／またはイメージ内のオブジェクトのアノテーションをサポートし、ビデオコンテンツ消費の履歴の分析、消費されたビデオコンテンツと関連付けられたユーザアクション、ＳＤ１０２とＰＤ１１２との間のやり取り／連携の分析をサポートして、その他のコンテンツ消費またはユーザアクションについてのパーソナライズされた推奨を提供するべく、ＳＤ１０２およびＰＤ１１２が連携してもよい。このような更なるサポートおよび機能については、関連出願に記載されている。更なる詳細については、関連出願を参照されたい。
【００４２】
図４には、様々な実施形態に係る共有デバイスとパーソナルデバイスとの間の登録および／または関連付けの方法に基づいた、顔認識の様々な例が示されている。図に示すように、方法４００は、例えば、ブロック４０２において、ユーザの画像を（カメラ等の撮像デバイスを備える）ＳＤ１０２が取得することから開始してもよい。様々な実施形態において、ＳＤ１０２は、ＳＤの１０２の正面の空間の画像を撮像することによって、ユーザの画像を取得して、ユーザの顔について（例えば、顔／ジェスチャ認識サービス２１８を使用して）画像を分析してもよい。新規のユーザの顔を特定すると、ＳＤ１０２は（例えば、登録／関連付け機能２１２を使用して）、新規のユーザの画像を生成してもよい。ＳＤ１０２は、周期的に上記の画像取得および生成オペレーションを実行してもよく、すなわち、例えば、電源投入時等の時間ベースで、または、例えば、イベント起動ベースで、レンダリングされるビデオストリームの変更またはレンダリングされるビデオストリームのジャンルの変更等のイベント起動ベースで、周期的に実行されてもよい。
【００４３】
方法４００は、ブロック４０２からブロック４０４へと進み、ＰＤ１１２を検出したことまたはＰＤ１１２からのコンタクトに応答して、ＳＤ１０２は、ＳＤ１０２のユーザの画像を、ＰＤ１１２へと送信してもよい。方法４００は、ブロック４０４からブロック４０６へと進み、ある"手動"の実施形態の場合には、ＰＤ１１２は、受信した画像を表示して、ＰＤ１１２のユーザが、受信した画像のうちの１つが、ＰＤ１１２のユーザの画像であるかを確認してもよい。これに代えて、ある"自動化された"の実施形態の場合には、例えば、顔／ジェスチャ認識サービス２４４を使用して、ＰＤ１１２は、受信した画像と、ＰＤ１１２のユーザのリファレンス画像とを比較してもよい。ＰＤ１１２のユーザのリファレンス画像は、予めＰＤ１１２に提供されていてもよいし、（カメラのような撮像デバイスを備える実施形態の場合）ＰＤ１１２によって撮像されてもよい。
【００４４】
方法４００は、ブロック４０６からブロック４０８へと進み、"手動"の実施形態の場合、ＰＤ１１２は、ＳＤ１０２のユーザの選択された画像がＰＤ１１２のユーザに一致していることを示すべく、ＰＤ１１２のユーザから、受信した画像のうちの１つを選択したことを受信してもよい。"自動化された"実施形態の場合には、ＰＤ１１２は、受信した画像のうち、リファレンス画像の実質的に一致する１つを選択してもよい。
【００４５】
方法４００は、ブロック４０８からブロック４１０へと進み、ＰＤ１１２は、自身を、ＳＤ１０２と関連付けしてもよい。自身をＳＤ１０２と関連付けする際には、ＰＤ１１２は、（ユーザによって提供されるまたは比較オペレーションによって提供される）選択情報を、ＳＤ１０２に送信して、自身をＳＤ１０２（または、ＳＤ１０２のテレビ１０６のＰＩＰ１０８のような、ＳＤ１０２の論理ユニット）に登録してもよい。
【００４６】
方法４００は、ブロック４１０からブロック４１２へと進み、ＳＤ１０２は、供給された選択に応答して、自身をＰＤ１１２に関連付けしてもよく、選択された画像のユーザとＰＤ１１２とを関連付けすることを含む。ＰＤ１１２が、関連付けられている様々なＳＤ１０２（例えば、通常の住居に設置しているＳＤ１０２、ビーチハウスに設置しているＳＤ１０２等）のマップを保持する様々な実施形態において、応答して、ＳＤ１０２は、自身をＰＤ１１２に登録してもよい。
【００４７】
別の実施形態では、方法４００は、ブロック４０４からブロック４２２へと進み、ブロック４２２では、ＳＤ１０２は、外部ソース、例えば、クラウドコンピューティングサーバにコンタクトして、取得した／生成したユーザの画像を使用して、ＰＤ１１２のＩＤおよび／または設定情報を取得してもよい。方法４００は、ブロック４２２からブロック４１２へと進み、ＳＤ１０２は、ユーザの画像に基づいて、ＩＤ情報を取得可能である場合に、ユーザの画像とＰＤ１１２とをそれぞれ関連付けることを含めて、ＳＤ１０２は、自身を、少なくともＩＤ情報を取得可能であった全てのＰＤ１１２と関連付けてもよい。
【００４８】
別の実施形態では、方法４００は、ブロック４３２で開始して、ＰＤ１１２は、例えば、クラウドコンピューティングサーバである外部ソースにコンタクトして、ＳＤ１０２のＩＤおよび／または設定情報を取得してもよい。取得に成功した場合には、ＰＤ１１２は、ブロック４３２からブロック４１０へと進み、ＰＤ１１２は、ＳＤ１０２を自身と関連付ける。ブロック４１０において、ＰＤ１１２は、自身をＳＤ１０２に登録してもよい。そして、方法４００は、上記したように、ブロック４１０からブロック４１２へと進む。
【００４９】
図５には、本開示の様々な実施形態に係る、共有デバイスおよびパーソナルデバイスの、連携によるパーソナライズされたユーザ機能の提供のユーザビューが示されている。図に示すように、最初に、連携によるパーソナライズされたユーザ機能の提供５００の例では、当該機能は、ＰＤ１１２のユーザに、例えば、ＰＤ１１２に表示されるアイコンを使用して、ＳＤ連携機能１６２を起動するオプションを提示する。オプションの選択に応答して、ＰＤ１１２のユーザに、ＳＤ登録／関連付け機能２３２またはＳＤビデオ／イメージ／データサービス２３４を選択するオプションが提示されてもよい。様々な実施形態において、ＰＤ１１２のユーザには更に、ＳＤ制御２３６のオプションが提示されてもよい。
【００５０】
ＳＤ登録／関連付け機能２３２の選択が行われると、上記したような、様々な登録および／または関連付けオペレーション５０８が実行されてもよい。ＳＤビデオ／イメージ／データサービスのオプションの選択が行われると、ＰＤ１１２のユーザに、ＳＤ１０２にレンダリングされるビデオストリームのビデオセグメントをリクエスト５０２するオプション、または、ＳＤ１０２にレンダリングされるビデオストリームのイメージフレームをリクエスト５０４するオプションが提示されてもよい。ＳＤ１０２にレンダリングされるビデオストリームのビデオセグメントのリクエスト５０２のオプションが選択され、それに応答して、リクエストがなされた後に、ＰＤ１１２が（例えば、メディアプレーヤ２２４を使用して）ビデオセグメントを受信すると、ＰＤ１１２のユーザに、そのビデオセグメントを再生／レンダリング５０６するオプションが提示されてもよい。ＳＤ１０２にレンダリングされるビデオストリームのイメージフレームをリクエスト５０４するオプションが選択されて、それに応答して、リクエストがなされた後に、イメージフレームが受信されると、ＰＤ１１２のユーザに、イメージをソーシャルネットワークまたはクラウドコンピューティングサーバにアップロードするアップロードオプション５１０、オンライン検索サービスに検索を投稿するブラウザ２２８が提示されて、ｅコマースサイトでｅコマーストランザクションを実行するオプション、または、ＳＩＧに参加するオプションが提示されてもよい。
【００５１】
ＳＤ制御機能２３６のオプションが提供される実施形態では、これに加えて、ＰＤ１１２のユーザに、ＳＤ１０２を制御するためのジェスチャを受け付けるおよび受信するためのジェスチャ認識機能５１６が提供されてもよく、それにより、例えば、ＰＩＰ１０８を拡大または縮小する、メインピクチャとＰＩＰ１０８との間の２つのビデオストリームを交換する、または、ＳＤ１０２にレンダリングされるビデオストリームの停止、一時停止、早送りまたは巻き戻しを行ってもよい。これら特徴については、上記の関連出願に記載されている。更なる詳細については、上記の関連出願を参照されたい。
【００５２】
図６には、本開示の様々な実施形態に係る非一時的コンピュータ可読記憶媒体が例示されている。図に示すように、非一時的コンピュータ可読記憶媒体８０２は、複数のプログラミング命令８０４を含んでもよい。プログラミング命令８０４は、ＳＤ１０２またはＰＤ１１２によるプログラミング命令の対応する実行に応答して、ＳＤ１０２またはＰＤ１１２が、図３および図４を参照して説明した方法３００−４００のＳＤの部分またはＰＤの部分のオペレーションを実行可能としてもよい。別の実施形態では、プログラミング命令は、２つ以上の記憶媒体に配置されてもよい。
【００５３】
図７には、本開示の様々な実施形態に係る、ＳＤまたはＰＤとして使用するのに好適なコンピュータシステムの例が示されている。図に示すように、コンピュータシステム９００は、複数のプロセッサまたはプロセッサコア９０２、および、システムメモリ９０４を備える。特許請求の範囲を含む本願の目的のため、"プロセッサ"および"プロセッサコア"という言葉は、コンテキストにおいて明確にそうでないことを必要とされない限り、同義語であると見なされる。更に、コンピュータシステム９００は、マスストレージデバイス９０６（例えば、ディスケット、ハードドライブ、コンパクトディスクリードオンリーメモリ（ＣＤ−ＲＯＭ）等）、入出力デバイス９０８（ディスプレイ、キーボード、カーソル制御、タッチパッド、カメラ等）、および、通信インターフェース９１０（ＷｉＦｉ（登録商標）、Ｂｌｕｅｔｏｏｔｈ（登録商標）、３Ｇ／４Ｇネットワークインターフェースカード、モデム等）を備える。これら要素は、１以上のバスとして表されているシステムバス９１２を使用して、互いに結合される。複数のバスが存在する場合、１以上のバスブリッジ（図示せず）によってブリッジされる。
【００５４】
これら要素はそれぞれ、当技術分野で周知の従来の機能を実行する。より詳細には、システムメモリ９０４およびマスストレージ９０６を採用して、上記で図３および図４を参照して説明した方法３００−４００のＳＤの部分またはＰＤの部分、すなわち、ここでは計算ロジック９２２と称される、ＰＤ連携機能１５２またはＳＤ連携機能１６２またはこれらの一部を実装するプログラミング命令のワーキングコピーおよびパーマネントコピーを格納してもよい。計算ロジック９２２は更に、ＳＤ機能１５１またはＰＤ機能１６１またはこれらの一部分を実施またはサポートするプログラミング命令を含んでもよい。様々な構成要素を、プロセッサ９０２がサポートするアセンブラ命令、または、例えば、このような命令にコンパイル可能なＣ言語のような高級言語によって実装してもよい。
【００５５】
プログラミング命令のパーマネントコピーは、工場でまたはフィールドで、例えば、コンパクトディスク（ＣＤ）のような配布媒体（図示せず）を介して、または、（配信サーバ（図示せず）から）通信インターフェース９１０を介して、マスストレージ９０６内に配置されてもよい。すなわち、計算ロジック９２２の実装を有する１以上の配布媒体を採用して、計算ロジック９２２を配布し、様々なコンピュータデバイスをプログラムしてもよい。
【００５６】
これら要素９０２−９１２の構成は、周知であり、本明細書では説明しない。
【００５７】
特定の実施形態が本明細書に示されたが、当業者であれば、様々な別のおよび／または等価な実装が、本開示の実施形態の範囲内において、特定の実施形態に適していることが理解できる。本願は、本明細書に記載された実施形態のあらゆる適用例および変形例についても範囲に含めることを意図している。したがって、本開示の実施形態は、特許請求の範囲およびその均等物によってのみ限定されることを明確に意図している。
［項目１］
ユーザ機能を実行する方法であって、
一のユーザのパーソナルデバイスおよび複数のユーザによる使用のために構成された共有デバイスによって連携して提供されるユーザ機能を実行するリクエストを、前記パーソナルデバイスにより受信する段階と、
前記パーソナルデバイスの前記一のユーザに対してパーソナライズされた前記リクエストされたユーザ機能を提供するべく、前記パーソナルデバイスが、前記共有デバイスと連携する段階と、を備える方法。
［項目２］
前記受信する段階は、一のユーザのスマートフォンおよびタブレットコンピュータのうちから選択された１つならびに複数のユーザによる使用のために構成された共有デバイスにより連携して提供されるユーザ機能を実行する前記一のユーザからのリクエストを、前記スマートフォンおよび前記タブレットコンピュータのうちから選択された前記１つにより、受信する段階を有し、前記連携する段階は、前記スマートフォンおよび前記タブレットコンピュータのうちから選択された前記１つが、前記共有デバイスと連携する段階を有する、または、
前記受信する段階は、一のユーザのパーソナルデバイスならびにテレビおよび前記テレビに結合されたセットトップボックスのうちから選択された１つによって連携して提供されるユーザ機能を実行する前記一のユーザからのリクエストを、前記パーソナルデバイスにより、受信する段階を有し、前記連携する段階は、前記パーソナルデバイスが、前記テレビおよび前記テレビに結合された前記セットトップボックスのうちから選択された前記１つと連携する段階を有する、項目１に記載の方法。
［項目３］
前記受信する段階は、前記共有デバイスにレンダリングされるビデオストリームのビデオセグメントを、前記パーソナルデバイス上でプレイまたは再生するリクエストを、前記パーソナルデバイスにより受信する段階を有し、
前記連携する段階は、
前記パーソナルデバイスにより、前記リクエストを前記共有デバイスへと送信する段階と、
前記パーソナルデバイスにより、前記共有デバイスから、リクエストした前記ビデオセグメントを受信する段階と、
前記パーソナルデバイスにより、前記ビデオセグメントをプレイまたは再生する段階とを有する、項目１または２に記載の方法。
［項目４］
前記ビデオストリームは、前記共有デバイスのピクチャインピクチャ内にレンダリングされるビデオストリームを含む、項目３に記載の方法。
［項目５］
前記受信する段階は、前記共有デバイスでプレイされるビデオストリームのイメージに対するリクエストを、前記パーソナルデバイスにより受信する段階を有し、
前記連携する段階は、
前記パーソナルデバイスにより、前記リクエストを前記共有デバイスへと送信する段階と、
前記パーソナルデバイスにより、前記共有デバイスから、リクエストした前記イメージを受信する段階と、
前記パーソナルデバイスにより、前記イメージを表示する段階とを有する、項目１から４の何れか１項に記載の方法。
［項目６］
前記方法は更に、
前記パーソナルデバイスにより、前記イメージまたは前記イメージ内のオブジェクトを、ソーシャルネットワークまたはクラウドコンピューティングサーバにアップロードする段階、
前記パーソナルデバイスにより、オンライン検索サービスに検索を投稿して、前記イメージまたは前記イメージ内のオブジェクトに少なくとも一部基づく検索を実行する段階、
前記パーソナルデバイスにより、前記イメージまたは前記イメージ内のオブジェクトに少なくとも一部基づく結果生じるｅコマーストランザクションを、オンラインｅコマースサイトで実行する段階、または、
前記パーソナルデバイスにより、前記一のユーザの手のジェスチャの認識を使用して、前記一のユーザが前記イメージ内のオブジェクトを選択するのを容易にする段階、を備える項目５に記載の方法。
［項目７］
ユーザ機能を実行する方法であって、
一のユーザのパーソナルデバイスおよび複数のユーザによる使用のために構成された共有デバイスによって連携して提供されるユーザ機能を実行する前記一のユーザからのリクエストを、前記共有デバイスが前記パーソナルデバイスから受信する段階と、
前記パーソナルデバイスの前記一のユーザに対してパーソナライズされた前記リクエストされたユーザ機能を提供するべく、前記共有デバイスが、前記パーソナルデバイスと連携する段階と、を備える方法。
［項目８］
前記受信する段階は、
複数のユーザによる使用のために構成されたテレビおよび前記テレビに結合されたセットトップボックスのうちから選択された１つにより、前記共有デバイスおよび一のユーザのパーソナルデバイスにより連携して提供されるユーザ機能を実行する前記一のユーザからのリクエストを、前記パーソナルデバイスから受信する段階を有し、前記連携する段階は、前記テレビおよび前記テレビに結合された前記セットトップボックスのうちから選択された前記１つが、前記パーソナルデバイスと連携する段階を有する、または、
複数のユーザによる使用のために構成された共有デバイスにより、一のユーザのスマートフォンおよびタブレットコンピュータのうちから選択された１つから、前記共有デバイスおよび前記パーソナルデバイスにより連携して提供されるユーザ機能を実行する前記一のユーザからのリクエストを受信する段階を有し、前記連携する段階は、前記共有デバイスが、前記スマートフォンおよび前記タブレットコンピュータのうちから選択された前記１つと連携する段階を有する、項目７に記載の方法。
［項目９］
前記受信する段階は、前記共有デバイスにレンダリングされるビデオストリームのビデオセグメントを前記パーソナルデバイス上でプレイまたは再生するリクエストを、前記共有デバイスにより受信する段階を有し、
前記連携する段階は、
前記共有デバイスにより、前記パーソナルデバイスから前記リクエストを受信する段階と、
前記共有デバイスにより、リクエストされた前記ビデオセグメントを前記パーソナルデバイスへと送信する段階と、を有する項目７または８に記載の方法。
［項目１０］
前記ビデオストリームは、前記共有デバイスのピクチャインピクチャ内にレンダリングされるビデオストリームを含む、項目９に記載の方法。
［項目１１］
前記受信する段階は、前記共有デバイスにプレイされるビデオストリームのイメージに対するリクエストを、前記共有デバイスにより前記パーソナルデバイスから受信する段階を有し、
前記連携する段階は、
前記共有デバイスにより、前記リクエストを前記パーソナルデバイスから受信する段階と、
前記共有デバイスにより、リクエストされた前記イメージを、前記パーソナルデバイスへと送信する段階と、を有する項目７から１０の何れか１項に記載の方法。
［項目１２］
前記送信する段階は、
前記パーソナルデバイスが、前記イメージまたは前記イメージ内のオブジェクトを、ソーシャルネットワークまたはクラウドコンピューティングサーバにアップロードするべく使用するために、リクエストされた前記イメージを、前記共有デバイスにより、前記パーソナルデバイスへと送信する段階、
前記パーソナルデバイスが、前記イメージまたは前記イメージ内のオブジェクトに少なくとも一部基づいて検索を実行するべく、オンライン検索サービスに検索を投稿するのに使用するために、リクエストされた前記イメージを、前記共有デバイスにより、前記パーソナルデバイスへと送信する段階、または、
前記パーソナルデバイスが、前記イメージまたは前記イメージ内の前記オブジェクトに少なくとも基づく結果生じるｅコマーストランザクションを、オンラインｅコマースサイトで実行するのに使用するために、リクエストされた前記イメージを、前記共有デバイスにより、前記パーソナルデバイスへと送信する段階、を含む項目１１に記載の方法。
［項目１３］
ユーザ機能を実行するためのパーソナルデバイスであって、
複数の命令を備える少なくとも１つのコンピュータ可読記憶媒体を備え、
前記パーソナルデバイスによって前記複数の命令が実行されると、前記パーソナルデバイスに項目１から６の何れか一項に記載の方法を実行させる、パーソナルデバイス。
［項目１４］
ユーザ機能を実行するための装置であって、
複数のユーザのためのユーザ機能を提供するように構成された１以上の共有デバイス機能と、
前記１以上の共有デバイス機能と動作可能に結合され、パーソナルデバイスの一のユーザに対してパーソナライズされたユーザ機能を提供するべく、前記一のユーザの前記パーソナルデバイスと連携するよう構成された１以上のパーソナルデバイス連携機能と、を備える装置。
［項目１５］
前記１以上の共有デバイス機能および前記１以上のパーソナルデバイス連携機能は更に、項目８から１２の何れか一項に記載の方法を実行するように構成される、項目１４に記載の装置。
【図１】
0005818994.tif 000002
【図２】
0005818994.tif 000003
【図３】
0005818994.tif 000004
【図４】
0005818994.tif 000005
【図５】
0005818994.tif 000006
【図６】
0005818994.tif 000007
【図７】
0005818994.tif 000008